(57)【要約】【課題】予め移動経路等の位置情報を登録することなく、移動通信端末の移動動作に基づいて発生したイベントの種別を検知すること。【解決手段】イベント検知サーバ１は、移動通信端末２から当該移動通信端末２の位置情報及び速度情報を収集する収集手段４１と、所定速度以上で移動する移動通信端末２が集中する集中エリアを特定するエリア特定手段４２と、前記集中エリア内で移動する移動通信端末２の移動方向に基づいて発生したイベント種別を判定するイベント判定手段４３と、を備えたものである。【選択図】図２
2010130448.tif 000002
【特許請求の範囲】
【請求項１】
移動通信端末から当該移動通信端末の位置情報及び速度情報を収集する収集手段と、
所定速度以上で移動する移動通信端末が集中する集中エリアを特定するエリア特定手段と、
前記集中エリア内で移動する移動通信端末の移動方向に基づいて発生したイベント種別を判定するイベント判定手段と、
を備えたことを特徴とするイベント検知サーバ。
【請求項２】
前記イベント判定手段は、前記移動通信端末の移動方向が集中又は発散しているかに基づいて前記イベント種別を判定することを特徴とする請求項１に記載のイベント検知サーバ。
【請求項３】
前記発生したイベントのイベント発生位置を基準にして決めた基準エリア内の移動通信端末にイベント発生情報を通知する通知手段を備えたことを特徴とする請求項１又は請求項２に記載のイベント検知サーバ。
【請求項４】
前記通知手段は、前記イベント発生位置の移動に追従して前記イベント発生情報を通知することを特徴とする請求項３に記載のイベント検知サーバ。
【請求項５】
前記イベント判定手段は、前記集中エリア内の移動通信端末に前記発生したイベントに関する問い合わせを行い、当該移動通信端末からの応答結果に基づいて前記イベント種別を判定することを特徴とする請求項１から請求項４のいずれかに記載のイベント検知サーバ。
【請求項６】
前記通知手段は、前記基準エリア内の移動通信端末にイベント発生位置を示す地図情報を通知することを特徴とする請求項１から請求項５のいずれかに記載のイベント検知サーバ。
【請求項７】
前記判定手段は、前記移動通信端末からの応答結果に基づいて前記発生したイベントに関連するイベント付加情報を生成することを特徴とする請求項１から請求項６のいずれかに記載のイベント検知サーバ。
【請求項８】
移動通信端末から当該移動通信端末の位置情報及び速度情報を収集し、所定速度以上で移動している移動通信端末が集中する集中エリアを特定し、前記集中エリア内で移動する移動通信端末の移動方向に基づいて発生したイベント種別を判定することを特徴とするイベント検知方法。
【発明の詳細な説明】
【技術分野】
【０００１】
本発明は、移動通信端末の移動状況に基づいて発生したイベントを検知するイベント検知サーバ及びイベント検知方法に関する。
【背景技術】
【０００２】
従来、携帯端末の位置情報及び歩数情報に基づいて当該携帯端末ユーザの移動動作状態を判定し異常情報を通知する異常通知システムが知られている（特許文献１参照）。この異常通知システムでは、携帯端末に、予め所定の移動経路及びこの移動経路上の所定の移動区間毎の正常時の移動動作状態が正常な移動動作パターンとして記憶されている。そして、携帯端末は、位置情報及び歩数情報から認識した移動動作と正常な移動動作パターンとを比較して異常の有無を判定し、異常と判定した場合に、異常情報を当該携帯端末に関係のあるクライアント端末に通知する。これにより、通学児童の誘拐等の異常事態の発生を迅速に把握し、保護者等の関係者に通知することができる。
【特許文献１】特開２００７−２２６７１４号公報
【発明の開示】
【発明が解決しようとする課題】
【０００３】
ところで、突発的に発生する異常事態（イベント）には、例えば、上記事件及び事故などのユーザに危険が迫るような異常事態（危険イベント）以外に、事前に周知されないゲリラライブ等のようにユーザの興味を引くような異常事態（興味イベント）が考えられる。しかしながら、従来の異常通知システムでは、携帯端末（移動通信端末）の移動動作が予め設定された正常動作パターンと異なる場合に異常有りと判定しているだけで、異常と判定されたイベントの種別を判別することができず、上記危険イベントと興味イベントとを区別することなく同一のイベントとして取り扱うことになる。
また、移動経路に関する位置情報を事前に記憶しておく必要があるため、記憶された移動経路以外の場所（エリア）で発生するイベントに対しては、当該イベントが異常か否かを判定することができない問題がある。
【０００４】
本発明はかかる点に鑑みてなされたものであり、予め移動経路等の位置情報を登録することなく、移動通信端末の移動動作に基づいて発生したイベントの種別を検知することができるイベント検知サーバ及びイベント検知方法を提供することを目的とする。
【課題を解決するための手段】
【０００５】
本発明のイベント検知サーバは、移動通信端末から当該移動通信端末の位置情報及び速度情報を収集する収集手段と、所定速度以上で移動する移動通信端末が集中する集中エリアを特定するエリア特定手段と、前記集中エリア内で移動する移動通信端末の移動方向に基づいて発生したイベント種別を判定するイベント判定手段と、を備えたことを特徴とする。
【０００６】
この構成によれば、従来のように予め移動経路等が記憶されたエリア以外のエリアであっても、移動通信端末の位置情報及び速度情報に基づいて発生したイベント種別を判定することができる。また、所定速度以上で移動する移動通信端末の集中度の高いエリア（イベント発生位置に近いエリア）を集中エリアとして特定するので、突発的に発生したイベントの検出精度を高めることができる。
【０００７】
上記イベント検知サーバにおいて、前記イベント判定手段は、前記移動通信端末の移動方向が集中又は発散しているかに基づいて前記イベント種別を判定することが好ましい。
【０００８】
この場合、移動通信端末の移動方向が集中していると、移動方向から特定されるエリアに移動通信端末が集まるようなイベント、すなわちユーザの興味を引くような興味イベントが発生していると判断できる。一方、移動方向が発散していると、移動方向から特定される移動元エリアから離れていくようなイベント、すなわちユーザに危険が迫るような危険イベントが発生していると判断できる。ここで、例えば、興味イベントには事前に周知されないゲリラライブやバーゲン等のエンタテイメント関連イベントが、危険イベントには事件、事故及び災害等の緊急避難を要するようなイベントが挙げられる。
【０００９】
上記イベント検知サーバにおいて、前記発生したイベントのイベント発生位置を基準にして決めた基準エリア内の移動通信端末にイベント発生情報を通知する通知手段を備えたことが好ましい。
【００１０】
この場合、イベント発生位置を基準にして決めた基準エリア内の移動通信端末にイベント発生情報を通知するので、発生したイベントに関与する可能性の高い移動通信端末ユーザに対して効果的にイベント発生情報を通知することができる。例えば、発生したイベントが興味イベントであれば、興味イベントの発生位置の周辺エリアを基準エリアとし、この基準エリア内の移動通信端末にイベント発生情報を通知すれば、移動通信端末ユーザが興味イベントの発生位置に集まるように促すことが可能である。一方、発生したイベントが危険イベントであれば、危険イベントの発生位置に特に近いエリアを基準エリアとし、この基準エリア内の移動通信端末にイベント発生情報を通知すれば、移動通信端末ユーザが危険イベントの発生位置から避難するように促すことが可能である。
【００１１】
上記イベント検知サーバにおいて、前記通知手段は、前記イベント発生位置の移動に追従して前記イベント発生情報を通知することが好ましい。
【００１２】
この場合、イベント発生位置の移動に追従してイベント発生情報を通知するので、イベント発生位置の移動に伴って変動する基準エリア内の移動通信端末ユーザに対して適切にイベント発生情報を通知することができる。すなわち、イベント発生位置が移動しても、当該イベントの影響を受ける可能性の高い移動通信端末ユーザにイベント発生情報を確実に提供することができる。
【００１３】
上記イベント検知サーバにおいて、前記イベント判定手段は、前記集中エリア内の移動通信端末に前記発生したイベントに関する問い合わせを行い、当該移動通信端末からの応答結果に基づいて前記イベント種別を判定してもよい。
【００１４】
この場合、前記集中エリア内の移動通信端末からの応答結果に基づいてイベント種別を判定するので、応答結果から得られるイベントに関する詳細情報を利用してイベント種別の判定精度をより高めることができる。
【００１５】
上記イベント検知サーバにおいて、前記通知手段は、前記基準エリア内の移動通信端末にイベント発生位置を示す地図情報を通知することが好ましい。
【００１６】
この場合、移動通信端末にイベント発生位置を示す地図情報を通知するので、正確なイベント発生位置を通知することができる。
【００１７】
上記イベント検知サーバにおいて、前記判定手段は、前記移動通信端末からの応答結果に基づいて前記発生したイベントに関連するイベント付加情報を生成してもよい。
【００１８】
この場合、発生したイベントに関連するイベント付加情報を生成するので、移動通信端末ユーザに対して、さらに有益な情報を提供することができる。
【００１９】
本発明のイベント検知方法は、移動通信端末から当該移動通信端末の位置情報及び速度情報を収集し、所定速度以上で移動している移動通信端末が集中する集中エリアを特定し、前記集中エリア内で移動する移動通信端末の移動方向に基づいて発生したイベント種別を判定することを特徴とする。
【発明の効果】
【００２０】
本発明によれば、予め移動経路等の位置情報を登録することなく、移動通信端末の移動動作に基づいて発生したイベントの種別を検知することができる。
【発明を実施するための最良の形態】
【００２１】
以下、本発明の実施の形態について添付図面を参照して詳細に説明する。
（第１の実施の形態）
図１は、本発明の実施の形態１に係るイベント検知システムを説明するための概略構成を示す図である。図１に示すイベント検知システム１は、複数の移動通信端末２（２Ａ〜２Ｄ）と、移動通信網３を介して複数の移動通信端末２Ａ〜２Ｄと接続されるイベント検知サーバ４と、を備えている。なお、図１に示すイベント検知システム１では、説明を簡単にするために４つの移動通信端末２を示しているが、移動通信端末２の数はこれに限定されるものではない。
【００２２】
本実施の形態のイベント検知システム１は、複数の移動通信端末２の位置及び移動速度に基づいて発生したイベント種別を判定し、イベント種別の判定結果が、例えば、発生したイベント（以下、発生イベントという）がユーザに危険が迫るような危険イベント（事件、事故、災害等）である場合には、イベント発生エリアからの避難を促すようなイベント発生情報を送り、発生イベントがユーザの興味を引くような興味イベント（ゲリラライブ等のエンタテイメント関連イベント）の場合には、イベント発生エリアに集まるようなイベント発生情報を送るようにしたビジネスモデルに適用可能である。
【００２３】
各移動通信端末２Ａ〜２Ｄは、端末の加速度を測定する加速度センサ機能及び端末の位置を測定するＧＰＳ機能を備えた携帯電話機等の端末装置で構成され、移動通信網３を介してイベント検知サーバ４との間で各種情報の送受信を行うことができる。各移動通信端末２Ａ〜２Ｄは、オペレーティングシステム（移動機ＯＳ）上でブラウザ機能、ビューワ機能、アプリケーション管理機能等の機能が動作する。
【００２４】
移動通信網３は、各移動通信端末２Ａ〜２Ｄとイベント検知サーバ４との間のネットワークである。この移動通信網３には、通常の移動通信網に加えて移動パケット通信網や、インターネット、ＬＡＮ（Local  Area  Network）やＷＡＮ（Wide  Area  Network）等のネットワークも含まれる。
【００２５】
図２は、イベント検知サーバ４の概略構成を示す機能ブロック図である。イベント検知サーバ４は、収集部４１と、イベント発生検出部４２と、イベント種別判定部４３と、通知部４４と、を備えている。
【００２６】
収集部４１は、移動通信網３を複数の移動通信端末２と通信可能に構成されており、所定の監視エリア（例えば、半径２００ｍ）毎に移動通信端末２の位置情報及び加速度センサ情報を継続的に監視し、当該位置情報及び加速度センサ情報を収集してイベント発生検出部４２に送る。
【００２７】
イベント発生検出部４２は、収集部４１から受け取った移動通信端末２の加速度センサ情報を速度情報に変換し、速度情報及び位置情報により所定の速度以上で移動している移動通信端末２の集中するエリア（集中エリア）を特定し、突発的なイベント発生を検出する（エリア特定手段）。所定の速度は、例えば、通勤・通学時の人の移動をイベント発生と検出しないように、日常生活における人の平均移動速度以上の速度を基準とする。ここで、集中エリアの特定は、収集部４１が監視する監視エリアを基準にして、当該監視エリア内を所定速度で移動する移動通信端末２が所定の閾値以上となるエリアを集中エリアとしてもよい。
【００２８】
図３は、イベント発生検出部４２の集中エリアの特定方法の一例を説明するための模式図である。ここでは、監視エリア内の移動通信端末２の半数（閾値５０％）以上が所定速度以上で移動した場合を例に説明する。図３において、黒丸は所定速度以上で移動する移動通信端末２を示し、白丸は所定速度未満で移動する移動通信端末２を示している。図３に示すように、点線で示す監視エリア（例えば、半径２００ｍ）３１内においては、黒丸の数は８であり、当該監視エリア３１内における移動通信端末２の総端末数（２０）の半数以上でないので、黒丸の数が半数以上となるような実線で示すエリア（例えば、半径１００ｍ）３２まで絞り込んでいく。エリア３２内の黒丸の数は６であり、当該エリア３１内の総端末数１１の半数以上になっているので、エリア３２を集中エリアとして特定する。すなわち、イベント発生検出部４２は、従来のように予め移動経路等が記憶されたエリアに限定するのではなく、所定速度以上で移動する移動通信端末数が閾値以上となるようなエリアを見つけ出し、このエリアでのイベント発生を検出する。これにより、所定速度以上で移動する移動通信端末２の集中度の高いエリア（イベント発生位置により近いエリア）を集中エリアとして特定するので、イベント発生の検出精度を高めることができる。
【００２９】
イベント種別判定部４３は、イベント発生検出部４２が特定した集中エリア内の移動通信端末２の移動方向に基づいて発生したイベントの種別を判定し、イベント発生情報を生成する。具体的には、図４（ａ）に示すように、複数の移動通信端末２の移動方向が一方向に集中している場合、移動方向から特定される移動先エリアで複数の移動通信端末２が集まるようなイベント、つまりユーザの興味を引くような興味イベントが発生していると判断する。一方、図４（ｂ）に示すように、複数の移動通信端末２の移動方向が発散している場合には、移動方向から特定される移動元エリアから離れていくようなイベント、つまりユーザに危険が迫るような危険イベントが発生していると判断する。興味イベントには、例えば、事前に周知されないアーティストのゲリラライブやバーゲン等のエンタテイメント関連イベントが、危険イベントには例えば、事件、事故、災害等の緊急避難を要するようなイベントが挙げられる。
【００３０】
通知部４４は、発生したイベントのイベント発生位置（エリア）を基準にして決めた基準エリア内の移動通信端末２にイベント発生情報を通知する。例えば、基準エリアは、イベント発生位置を含む集中エリア及びこの集中エリアの周辺エリアである。これにより、基準エリア内においてイベントに気付いていない移動通信端末ユーザにイベント発生を通知することができる。また、通知部４４は、図５に示すように、イベント発生位置（実線で示す範囲）が移動している場合、このイベント発生位置の移動に基準エリア（点線で示す範囲）を追従させ、当該変化する基準エリア内の移動通信端末２に対して連続的にイベント発生情報を通知することが好ましい。これにより、イベント発生位置の移動に伴って基準エリアが変動するので、当該イベントの影響を受ける可能性の高い移動通信端末ユーザに対して、確実にイベント発生情報を通知することができる。ここで、イベント発生位置が移動するような場合としては、例えば、事件の犯人が逃走中である場合や災害等が拡大しているような場合が該当する。
【００３１】
次に、図６を用いて、イベント検知システム１のイベント発生検出動作を説明する。図６は、イベント検知システム１において、イベント発生を検知してからイベント発生情報を移動通信端末２に送るまでの動作を示すシーケンス図である。ここでは、図１に示す移動通信端末２Ａ及び２Ｂが所定速度で移動している場合を例に説明する。
【００３２】
イベント検知サーバ４は、継続的に複数の移動通信端末２Ａ〜２Ｃから位置情報及び加速度センサ情報を受け付け（ステップＳ６１）、加速度センサ情報及び位置情報を収集する（ステップＳ６２）。イベントが発生すると、イベント検知サーバ４は、収集した加速度センサ情報及び位置情報に基づいて、所定速度以上の移動通信端末２Ａ及び２Ｂの集中するエリアＡを集中エリアと特定し（ステップＳ６３）、当該移動通信端末２Ａ及び２Ｂの移動方向に基づいて発生したイベント種別を判定する（ステップＳ６４）。次に、イベント発生位置（エリアＡ）を基準にした基準エリア（エリアＡ及び周辺エリアＢ）内の移動通信端末２Ｃをイベント発生情報の通知先端末と決定し（ステップＳ６５）、イベント発生情報を通知する（ステップＳ６６）。そして、移動通信端末２Ｃの表示画面にイベント発生情報が表示される（ステップＳ６７）。
【００３３】
次に、図７を用いて、イベント検知サーバ４のイベント発生検出動作及び発生イベント種別の判定動作について詳細に説明する。図７は、イベント検知サーバ４のイベント発生検出動作及び発生イベント種別の判定動作を示すフロー図である。なお、ここでは、図３で説明した閾値（５０％）を用いて、イベント発生を検出する場合を例に説明する。
【００３４】
イベント検知サーバ４は、複数の移動通信端末２の加速度センサ情報及び位置情報を収集すると、加速度センサ情報を移動通信端末２の速度情報に変換し（ステップＳ７１）、所定速度以上で移動している移動通信端末２が集中する集中エリアがあるか否か判定する（ステップＳ７２）。具体的には、所定速度で移動する移動通信端末数が閾値以上となるような集中エリアがあるか否かを見つけ出す。所定速度以上で移動する移動通信端末２が集中するエリアがある場合（ステップＳ７２：Ｙｅｓ）、当該エリアを集中エリアとして特定してイベントが発生していると判断する（ステップＳ７３）。集中するエリアが無い場合（ステップＳ７２：Ｎｏ）、当該処理は繰り返し行われる。
【００３５】
次に、所定速度以上で移動する移動通信端末２の移動方向が一定方向か否かを判定する（ステップＳ７４）。すなわち、移動通信端末２の移動方向が集中しているか又は発散しているか否かを判定する。移動通信端末の移動方向が一定方向である（集中している）場合（ステップＳ７４：Ｙｅｓ）、当該移動方向から特定される移動先エリアにおいて、移動通信端末ユーザが急速に集合するような興味イベントが発生していると判断する（ステップＳ７５）。一方、移動通信端末２の移動方向が一定でない（発散している）場合（ステップＳ７４：Ｎｏ）、当該移動方向から特定される移動元エリアから移動通信端末ユーザが急速に離れたいような危険イベントが発生していると判断する（ステップＳ７６）。
そして、イベント発生位置を基準に基準エリアを決定し（ステップＳ７７）、当該基準エリア内の移動通信端末２に対してイベント発生情報を通知する（ステップＳ７８）。
【００３６】
このように、本実施の形態では、網側で複数の移動通信端末２から当該移動通信端末２の位置情報及び速度情報を収集し、所定速度以上で移動する移動通信端末が集中する集中エリアを特定し、集中エリア内で移動する移動通信端末２の移動方向が集中又は発散しているかに基づいて発生したイベント種別を判定する。すなわち、本実施の形態は、従来のようにイベントに遭遇した移動通信端末ユーザからのイベント発生通知により当該ユーザに関係する人に当該イベント発生を通知するのではなく、任意の移動通信端末ユーザの速度及び位置の所定以上の変動からイベント発生を検知し、当該イベント発生エリア近傍の移動通信端末ユーザ（前記速度及び位置が変動した移動通信端末ユーザとは異なるユーザ）に対してイベント発生を通知する。これにより、従来のように予め移動経路等の記憶されたエリア以外のエリアであっても、移動通信端末２の位置情報及び速度情報に基づいて突発的に発生したイベントの種別を判定することができる。例えば、移動通信端末２の移動方向が集中していれば、移動先エリアにユーザの興味を引くような興味イベントが発生していると判断する一方、移動方向が発散していれば、移動元エリアから離れていくような、つまりユーザに危険が迫るような危険イベントが発生していると判断することができる。また、所定速度以上で移動する移動通信端末２の集中度の高いエリア（イベント発生位置により近いエリア）を集中エリアと特定するので、突発的に発生したイベントの検出精度を高めることができる。
【００３７】
また、本実施の形態では、発生したイベントのイベント発生位置を基準にして決めた基準エリア内の移動通信端末２にイベント発生情報を通知するので、発生したイベントに関与する可能性の高い移動通信端末ユーザに対して効果的にイベント発生情報を通知することができる。例えば、発生したイベントが興味イベントであれば、興味イベントの発生位置の周辺エリア内の移動通信端末２にイベント発生情報を通知し、ユーザが興味イベントの発生位置に集まるように促すことが可能である。一方、発生したイベントが危険イベントであれば、危険イベントの発生位置に特に近いエリア内の移動通信端末２にイベント発生情報を通知し、移動通信端末ユーザが危険イベントの発生位置から避難するように促すことが可能である。
【００３８】
なお、上記実施の形態では、イベント発生検出部４２が移動通信端末２の加速度センサ情報を速度情報に変換して、イベント発生を検出した場合を例に説明したが、これに限定されるものではない。例えば、加速度センサ情報の加速・減速に基づいて歩数情報に変換し、当該歩数情報が所定歩数以上の場合、イベント発生を検出してもよい。
【００３９】
（第２の実施の形態）
本発明の第２の実施の形態のイベント検知システムでは、所定の速度以上で移動する移動通信端末２に対して発生したイベントに関する詳細情報の問い合わせを行い、応答結果基づいて詳細なイベント発生情報（詳細イベント発生情報）を生成すると共に、発生したイベントに関連するイベント付加情報を生成して基準エリア内の移動通信端末２に通知するものである。
【００４０】
図８は、第２の実施の形態に係るイベント検知システム８の概略構成を示す図である。図８に示すイベント検知システム８は、複数の移動通信端末２Ａ〜２Ｄと、移動通信網３を介して複数の移動通信端末２Ａ〜２Ｄと接続されるイベント検知サーバ４Ａ及びコンテンツサーバ９と、を備えている。なお、図８において、図１に示すイベント検知システム１と同一の構成については同一の符号を付し、その説明を省略する。
【００４１】
コンテンツサーバ９は、ニュース情報、地図情報及びアーティストに関連するエンタテイメント情報等の様々なコンテンツを提供するコンテンツ提供サーバであり、イベント検知サーバ４Ａからのコンテンツの取得要求に対応して、発生したイベントに関連する地図情報やエンタテイメント情報等のコンテンツをイベント検知サーバ４Ａに提供する。
【００４２】
図９は、第２の実施の形態に係るイベント検知サーバ４Ａの構成を示す機能ブロック図である。図９に示すイベント検知サーバ４Ａは、図２に示すイベント検知サーバ４に、イベント付加情報生成部９１が追加されている。
【００４３】
イベント種別判定部４３Ａは、イベント発生検出部４２が集中エリアを特定すると、集中エリア内の移動通信端末２の移動方向に基づいてイベント種別を判定すると共に、集中エリア内の移動通信端末２に発生したイベントに関する問い合わせを行い、移動通信端末２からの応答結果を加味して詳細なイベント発生情報を生成する。これにより、集中エリア内の移動通信端末２の移動方向に加え、当該移動通信端末２からの応答結果から得られる詳細な情報に基づいて最終的なイベント種別を判定するので、イベント種別の判定精度をより高めることができる。イベント種別判定部４３Ａは、イベント種別の判定結果と共に、移動通信端末２から受け取った応答結果をイベント付加情報生成部９１に送る。
【００４４】
イベント付加情報生成部９１は、イベント種別判定部４３Ａから受け取ったイベント種別の判定結果及び移動通信端末２からの応答結果に基づいて、コンテンツサーバ９にアクセスし、発生したイベントに関連する詳細情報を取得してイベント付加情報を生成する。ここで、イベント付加情報としては、例えば、イベント発生位置を示す地図情報（ＵＲＬ）、アーティストの音楽・音楽のダウンロードサイト情報（ＵＲＬ）、イベントに関するニュース情報（ＵＲＬ）が挙げられる。通知部４４は、イベント種別判定部４３Ａから受け取った詳細イベント発生情報と共に、イベント付加情報生成部９１で生成されたイベント付加情報を移動通信端末２に通知する。これにより、移動通信端末ユーザに対して、さらに有益な情報（正確かつ詳細なイベント発生位置情報）を提供することができる。
【００４５】
次に、図１０を用いて、イベント検知システム８のイベント検出動作を説明する。図１０は、イベント検知システム８において、イベント発生を検出してから詳細イベント発生情報及びイベント付加情報を移動通信端末２に送るまでの動作を示すシーケンス図である。なお、図８において、図６と同じ処理については同じ符号を付し、その詳細な説明を省略する。
【００４６】
イベント検知サーバ４Ａは、複数の移動通信端末２Ａ〜２Ｃから位置情報及び加速度センサ情報を受け付け（ステップＳ６１）、加速度センサ情報及び位置情報を収集する（ステップＳ６２）。イベントが発生すると、加速度センサ情報及び位置情報に基づいて所定速度以上の移動通信端末２Ａ及び２Ｂの集中する集中エリアと特定し（ステップＳ６３）、当該移動通信端末２Ａ及び２Ｂの移動方向に基づいて発生したイベント種別を判定する（ステップＳ６４）そして、イベント検知サーバ４Ａは、集中エリア内において所定速度以上で移動する移動通信端末２Ａ及び２Ｂに対して、イベント種別の判定結果を加味し、発生したイベントに関する詳細情報の問い合わせを行う（ステップＳ１０１）。問い合わせを受け付けた移動通信端末２Ａ及び２Ｂには、発生したイベントの問い合わせ画面が表示される（ステップＳ１０２）。
【００４７】
図１１及び図１２は、発生したイベントの問い合わせ画面の一例を示す図であり、図１１は、イベント種別を危険イベントと判定した場合の問合せ画面例を示し、図１２は、イベント種別を興味イベントと判定した場合の画面例を示している。図１１（ａ）に示すように、問い合わせを受けた移動通信端末２Ａ及び２Ｂの表示画面には、問い合わせ画面１１１がポップアップ表示され、当該画面１１１には「近くで何か事件がありましたか？」のメッセージが表示される。ユーザが「はい」ボタンを選択すると、図１１（ｂ）に示すように危険イベントの詳細内容問い合わせ画面１１２が表示される。詳細内容問い合わせ画面１１２には、「事件の内容を教えて下さい。」のメッセージが表示されると共に、複数の危険イベントの選択メニュー（例えば、「火事」、「交通事故」、「通り魔」、「喧嘩」、「泥棒」、「その他／詳細」）が表示される。ユーザは、これら複数の選択メニューから発生したイベントに関する報を入力し（ステップＳ１０３）、入力した詳細情報をイベント検知サーバ４に送る（ステップＳ１０４）。一方、イベント種別を興味イベントと判定した場合には、図１２（ａ）に示すように、問い合わせ画面１２１はポップアップ表示され、当該画面１２１には「近くで何かイベントがありましたか？」のメッセージが表示されている。ユーザが「はい」ボタンを選択すると、図１２（ｂ）に示すように興味イベントの詳細内容問い合わせ画面１２２が表示される。詳細内容問い合わせ画面１２２には、「イベントの内容を教えて下さい。」のメッセージが表示されると共に、複数の興味イベントの選択メニュー（例えば、「芸能人のライブ・イベント」、「デパートやショップのバーゲン」、「有名人を発見」、「その他／詳細」）が表示され、これら複数の選択メニューから発生したイベントに関する情報を入力する。
【００４８】
イベント検知サーバ４Ａは、移動通信端末２Ａ及び２Ｂから応答結果を受け付けると、上記イベント種別判定結果及び応答結果に基づいて詳細イベント発生情報を生成し（ステップＳ１０５）、イベント種別の判定結果及び応答結果に基づいて、発生したイベントに関連するコンテンツの取得要求を送る（ステップＳ１０６）。コンテンツサーバ９は、コンテンツ取得要求に従い、発生したイベントに関連するコンテンツをイベント検知サーバ４Ａに送り（ステップＳ１０７）、イベント検知サーバ４Ａは、受け取ったコンテンツに基づいてイベント付加情報を生成する（ステップＳ１０８）。そして、イベント発生位置（エリアＡ）を基準にした基準エリア（エリアＡ及びＢ）内の移動通信端末２Ｃを通知先端末と決定し（ステップＳ６５）、詳細イベント発生情報及びイベント付加情報を通知する（ステップＳ６６）。ここで、イベント検知サーバ４Ａは、移動通信端末２及びコンテンツサーバ９と協働しながら、イベントの状況に応じて詳細イベント発生情報及びイベント付加情報を生成（更新）し、基準エリア内の移動通信端末２Ｃに対してイベント付加情報を送ることも可能である。そして、移動通信端末２の表示画面には、図１３及び図１４に示すような詳細イベント発生情報及びイベント付加情報が表示される（ステップＳ１０９）。
【００４９】
図１３及び図１４は詳細イベント発生情報及びイベント付加情報の画面表示例を示す図である。図１３は、危険イベント発生時の画面例を示し、図１４は、興味イベント発生時の画面例を示している。
【００５０】
危険イベント発生時の基準エリア内の移動通信端末２には、詳細な危険イベント内容及び発生位置を示すメッセージ「渋谷区道玄坂３−１−１の近くで火事が発生しました。」が、詳細イベント発生情報として表示され（図１３（ａ））、「地図を見る」ボタンを押すと、「事件発生場所」と移動通信端末２の「現在位置」がイベント付加情報として表示される（図１３（ｂ））。一定時間経過すると、最新のイベント付加情報「ニュース情報が入りました」が表示され（図１３（ｃ））、「ニュースを読む」ボタンを押すと、ニュースサイトにジャンプして詳細なニュース情報が表示される（図１３（ｄ））。
【００５１】
一方、興味イベント発生時の基準エリア内の移動通信端末２には、詳細な興味イベント内容及び発生位置を示すメッセージ「渋谷区道玄坂３−１−１の近くで歌手Ａが路上ゲリラライブをやっています。」が、詳細イベント発生情報として表示され（図１４（ａ））、「地図を見る」ボタンを押すと、「イベント発生場所」と移動通信端末２の「現在位置」がイベント付加情報として表示される（図１４（ｂ））。一定時間経過すると、最新のイベント付加情報「ニュース情報、コンテンツ情報が入りました」が表示され（図１４（ｃ））、「ニュースを読む」ボタンを押すと、ニュースサイトにジャンプして詳細なニュース情報が表示され（図１４（ｄ））、「コンテンツをダウンロード」ボタンを押すと、コンテンツサイトにアクセスしてコンテンツ情報が表示される（図１４（ｅ））。
【００５２】
このように、本実施の形態では、所定速度以上で移動する移動通信端末２が集中する集中エリア内で移動する移動通信端末２の移動方向が集中又は発散しているかに基づいて発生したイベント種別を判定し、当該移動通信端末２にイベント種別に応じたイベントの詳細情報の問い合わせを行い、応答結果を加味した詳細イベント発生情報を、基準エリア内の移動通信端末２に通知するので、ユーザに対して正確なイベント発生位置や詳細なイベント内容を通知することができる。また、イベント種別の判定結果及び移動通信端末２からの応答結果に基づいて、発生したイベントに関連するイベント付加情報を移動通信端末２に通知するので、ユーザにとって有益なイベント関連情報を提供することができる。
【００５３】
また、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００５４】
本発明は、携帯電話機等の移動通信端末の位置及び移動速度に基づいて発生したイベント種別を判定し、イベント発生情報を移動通信端末に通知するイベント検知サーバを備えたイベント検知システムに適用可能である。
【図面の簡単な説明】
【００５５】
【図１】本発明の第１の実施の形態に係るイベント検知システムの概略構成を示す図である。
【図２】第１の実施の形態に係るイベント検知サーバを示す機能ブロック図である。
【図３】集中エリアの特定方法の一例を説明するための模式図である。
【図４】移動通信端末の移動方向に基づくイベント種別の判定を説明するための模式図である。
【図５】イベント発生位置が移動している場合におけるイベント発生情報の通知を説明するための模式図である。
【図６】第１の実施の形態に係るイベント検知システムのイベント検知動作を示すシーケンス図である。
【図７】第１の実施の形態に係るイベント検知サーバのイベント検出及びイベント判定動作を示すフロー図である。
【図８】本発明の第２の実施の形態に係るイベント検知システムの概略構成を示す図である。
【図９】第２の実施の形態に係るイベント検知サーバを示す機能ブロック図である。
【図１０】第２の実施の形態に係るイベント検知システムのイベント検知動作を示すシーケンス図である。
【図１１】危険イベントにおける問い合わせ画面の画面表示例を示す図である。
【図１２】興味イベントにおける問い合わせ画面の画面表示例を示す図である。
【図１３】危険イベントにおける詳細イベント発生情報及びイベント付加情報の画面表示例を示す図である。
【図１４】興味イベントにおける詳細イベント発生情報及びイベント付加情報の画面表示例を示す図である。
【符号の説明】
【００５６】
１、８  イベント検知システム
２  移動通信端末
３  移動通信網
４、４Ａ  イベント検知サーバ
９  コンテンツサーバ
４１  収集部
４２  イベント発生検出部
４３、４３Ａ  イベント種別判定部
４４  通知部
９１  イベント付加情報生成部
【図１】
2010130448.tif 000003
【図２】
2010130448.tif 000004
【図３】
2010130448.tif 000005
【図４】
2010130448.tif 000006
【図５】
2010130448.tif 000007
【図６】
2010130448.tif 000008
【図７】
2010130448.tif 000009
【図８】
2010130448.tif 000010
【図９】
2010130448.tif 000011
【図１０】
2010130448.tif 000012
【図１１】
2010130448.tif 000013
【図１２】
2010130448.tif 000014
【図１３】
2010130448.tif 000015
【図１４】
2010130448.tif 000016